(57)【要約】【課題】収納物の出し入れが低学年の児童にとっても非常にたやすくできる使い勝手の良い画材バッグを提供する。【解決手段】上面が出し入れ口として開口した本体１０と、その後側面板１３の上端に回動自在に連結された主面板２１を有した蓋体２０と、を備え、主面板の前端に面ファスナ１６，２６により本体の前側面板１２の外面に係合する前垂板２３が設けられ、本体の左右側面板１４の上方に、下端縁１５ａが本体の左右側面板１４の上端縁に連結され、後端縁１５ｂが蓋体の主面板の左右側縁に連結された内側カバー片１５が設けられ、内側カバー片が立ち上がって最大に広がったときの蓋体の主面板の位置が、後側面板の上方への延長線よりも後側に倒れるように、内側カバー片の後端縁の位置が上に行くほど後側に延長されて主面板の左右側縁に連結されている。【選択図】図１
0003140471.tif 000002
【実用新案登録請求の範囲】
【請求項１】
上面が収納物の出し入れ口として開口し、底面と前後の側面と左右の側面とが、それぞれ底面板と前後側面板と左右側面板とで覆われ、内部に直方体形状の収納空間が確保された本体と、
該本体の上面の出し入れ口を開閉するために、前記後側面板の上端縁に第１ヒンジ部を介して後端縁が連結され、その第１ヒンジ部を支点にして上下方向に回動自在とされ、且つ前記出し入れ口に相当する大きさを有して該出し入れ口を上から覆うことの可能な主面板を有した蓋体と、を備え、
前記蓋体の主面板の前端には、該主面板の前端縁に第２ヒンジ部を介して上下方向に回動自在に連結され、前記蓋体を閉じたときに前記本体の前側面板の外面に重なる前垂板が設けられ、
前記本体の左右側面板の上方にはそれぞれ、前記出し入れ口の左右側部を覆う幅を有し、下端縁が前記本体の左右側面板の上端縁に連結され且つ後端縁が前記蓋体の主面板の左右側縁に連結され、前記蓋体を開く動作に伴い該蓋体に引っ張られて前記左右側面板の上方に立ち上がり、蓋体を閉じる動作に伴い前記左右側面板の上端縁の位置で内側に折れ曲がって前記主面板の下面に重なる内側カバー片が設けられ、
更に前記本体と蓋体には、前記出し入れ口を閉じた状態で前記蓋体を固定する固定手段が設けられていることを特徴とする画材バッグ。
【請求項２】
請求項１に記載の画材バッグであって、
前記蓋体を開く動作に伴い、前記内側カバー片が、前記本体の左右側面板の上方に立ち上がって最大に広がったときの前記蓋体の主面板の位置が、前記本体の後側面板の上方への延長線よりも後側にあるように、前記内側カバー片の後端縁の位置が上に行くほど後側に延長されて前記蓋体の主面板の左右側縁に連結されていることを特徴とする画材バッグ。
【請求項３】
請求項１または２に記載の画材バッグであって、
前記固定手段として、前記蓋体の前垂板の内面と、前記蓋体が閉じたとき前記前垂板の内面が重なる前記本体の前側面板の外面とに、重なったときに互いに係合する面ファスナが設けられていることを特徴とする画材バッグ。
【請求項４】
請求項１〜３のいずれか１項に記載の画材バッグであって、
前記蓋体の主面板と前垂板との間に介在された前記第２ヒンジ部がメッシュ生地で構成されていることを特徴とする画材バッグ。
【請求項５】
請求項１〜４のいずれか１項に記載の画材バッグであって、
前記本体の底面板と左右側面板とが、幅方向に二つ折り可能とされていることを特徴とする画材バッグ。
【請求項６】
請求項１〜５のいずれか１項に記載の画材バッグであって、
前記本体と蓋体が、柔軟性と防水性を有する布材を縫製することで構成されており、少なくとも、前記本体の前後側面板と前記蓋体の主面板とを構成する布材に芯材が内装されていることを特徴とする画材バッグ。
【請求項７】
請求項６に記載の画材バッグであって、
前記本体の前後側面板の外面に、一対の逆Ｕ字状の手提げ紐が設けられていることを特徴とする画材バッグ。
【考案の詳細な説明】
【技術分野】
【０００１】
本考案は、小学校の図画工作等の授業で使用する画材用具を収納し携行するのに好適な画材バッグに関するものである。
【背景技術】
【０００２】
小学校の図画工作等の授業で用いられる絵筆、絵の具セット、パレット、筆洗バケツ等の画材用具は、登下校や野外での写生等の際に画材バッグに収納して携行している。
【０００３】
従来、この種の用途の画材バッグとして、例えば図７に示されるような画材バッグが知られている（特許文献１参照）。この画材バッグ１０１は、長方形の底壁部１１１と、この底壁部１１１の幅方向両側縁から立ち上がる一対の側壁部１１２と、前記底壁部１１１の長手方向両端から立ち上がる一対の端壁部１１４と、一対の側壁部１１２の上縁間に確保された出し入れ口１１３を開閉するファスナ１１５とを備えており、ファスナ１１５を開いて、出し入れ口１１３の幅を大きく拡げながら、画材用具１２０を出し入れするようになっている。
【特許文献１】特開２００１−２３８７２０号公報
【考案の開示】
【考案が解決しようとする課題】
【０００４】
しかしながら、上述の従来の画材バッグ１０１は、ファスナ１１５を開いて、出し入れ口１１３の幅を大きく拡げながら、画材用具１２０の出し入れをしないといけないので、特に低学年の児童にとっては、出し入れがしにくいという問題があった。また、出し入れをしやすくするために、最初から出し入れ口１１３を大きく形成すると、ファスナ１１５の開け閉めが大変になり、低学年の児童にとって、扱いづらいものになってしまうという問題がある。
【０００５】
本考案は、上記事情を考慮し、出し入れ口の開閉が容易であり、出し入れ口を簡単に大きく開くことができて、収納物の出し入れが低学年の児童にとっても非常にたやすくできる使い勝手の良い画材バッグを提供することを目的とする。
【課題を解決するための手段】
【０００６】
請求項１の考案による画材バッグは、上面が収納物の出し入れ口として開口し、底面と前後の側面と左右の側面とが、それぞれ底面板と前後側面板と左右側面板とで覆われ、内部に直方体形状の収納空間が確保された本体と、該本体の上面の出し入れ口を開閉するために、前記後側面板の上端縁に第１ヒンジ部を介して後端縁が連結され、その第１ヒンジ部を支点にして上下方向に回動自在とされ、且つ前記出し入れ口に相当する大きさを有して該出し入れ口を上から覆うことの可能な主面板を有した蓋体と、を備え、前記蓋体の主面板の前端には、該主面板の前端縁に第２ヒンジ部を介して上下方向に回動自在に連結され、前記蓋体を閉じたときに前記本体の前側面板の外面に重なる前垂板が設けられ、前記本体の左右側面板の上方にはそれぞれ、前記出し入れ口の左右側部を覆う幅を有し、下端縁が前記本体の左右側面板の上端縁に連結され且つ後端縁が前記蓋体の主面板の左右側縁に連結され、前記蓋体を開く動作に伴い該蓋体に引っ張られて前記左右側面板の上方に立ち上がり、蓋体を閉じる動作に伴い前記左右側面板の上端縁の位置で内側に折れ曲がって前記主面板の下面に重なる内側カバー片が設けられ、更に前記本体と蓋体には、前記出し入れ口を閉じた状態で前記蓋体を固定する固定手段が設けられていることを特徴としている。
【０００７】
請求項２の考案は、請求項１に記載の画材バッグであって、前記蓋体を開く動作に伴い、前記内側カバー片が、前記本体の左右側面板の上方に立ち上がって最大に広がったときの前記蓋体の主面板の位置が、前記本体の後側面板の上方への延長線よりも後側にあるように、前記内側カバー片の後端縁の位置が上に行くほど後側に延長されて前記蓋体の主面板の左右側縁に連結されていることを特徴としている。
【０００８】
請求項３の考案は、請求項１または２に記載の画材バッグであって、前記固定手段として、前記蓋体の前垂板の内面と、前記蓋体が閉じたとき前記前垂板の内面が重なる前記本体の前側面板の外面とに、重なったときに互いに係合する面ファスナが設けられていることを特徴としている。
【０００９】
請求項４の考案は、請求項１〜３のいずれか１項に記載の画材バッグであって、前記蓋体の主面板と前垂板との間に介在された前記第２ヒンジ部がメッシュ生地で構成されていることを特徴としている。
【００１０】
請求項５の考案は、請求項１〜４のいずれか１項に記載の画材バッグであって、前記本体の底面板と左右側面板とが、幅方向に二つ折り可能とされていることを特徴としている。
【００１１】
請求項６の考案は、請求項１〜５のいずれか１項に記載の画材バッグであって、前記本体と蓋体が、柔軟性と防水性を有する布材を縫製することで構成されており、少なくとも、前記本体の前後側面板と前記蓋体の主面板とを構成する布材に芯材が内装されていることを特徴としている。
【００１２】
請求項７の考案は、請求項６に記載の画材バッグであって、前記本体の前後側面板の外面に、一対の逆Ｕ字状の手提げ紐が設けられていることを特徴としている。
【考案の効果】
【００１３】
請求項１の考案によれば、固定手段による蓋体の固定を解除しつつ、蓋体の後端の第１ヒンジ部を支点にして蓋体の前端側を持ち上げるだけで、上面の出し入れ口を全開することができるし、また、第１ヒンジ部を支点にして蓋体の前端側を出し入れ口に被せるだけで、出し入れ口を閉じることができる。従って、低学年の児童であっても、簡単に画材バッグの開け閉めができるし、特に蓋体を持ち上げるだけで出し入れ口を全開することができるので、収納物の出し入れが簡単にできる。また、本体を底面板と前後左右側面板とで構成し、蓋体を主面板と前垂板とで構成することで、画材バッグの外形を直方体形状にしているので、多数個を積み重ねてコンパクトにロッカーや棚に収納しておくことができる。
【００１４】
また、蓋体の後端は第１ヒンジ部で塞ぎ、蓋体の前端は前垂板で塞ぎ、蓋体の左右端は、本体の左右側面板の上方に連設した内側カバー片で塞ぐようにしているので、蓋体と本体の隙間を全て封じることができる。従って、中に収容した小物が外に飛び出す心配がない。特に、左右に付いている内側カバー片が、蓋体を閉じたときに内側に折れ曲がって、中の収容物を保護するので、携行しながら多少乱暴に画材バッグを振っても、中の収納物（例えば、絵筆などの小物）が外に飛び出すのを防止することができる。
【００１５】
また、内側カバー片が、蓋体の開け閉めに伴って自動的に立ち上がったり折れ曲がったりするので、内側カバー片をわざわざ蓋体と別に開いたり閉じたりする必要がなく、内側カバー片が収納物の出し入れの邪魔にならない。従って、特に低学年の児童にとっても、画材用具等の出し入れを楽に行うことができる。また、内側カバー片が、蓋体を開いた際のストッパの役割を果たすので、蓋体を一定の開き位置に保持しておくことができ、蓋体が収納物の出し入れの邪魔になることもないし、蓋体を閉じるときにもやりやすくなる。また、構造が簡単であるので、コストも抑制することができる。
【００１６】
請求項２の考案によれば、蓋体をいっぱいに開いたときに、蓋体が後側に倒れようとするが、その倒れようとする力と内側カバー片に生じる張力とが釣り合うことになり、内側カバー片が突っ張った状態に保持されると同時に、蓋体が一定の開き位置に保持される。従って、収納物の出し入れがしやすくなると共に、途中の位置に蓋が保持されているので、蓋体を閉じやすくなる。
【００１７】
請求項３の考案によれば、蓋体の前垂板と本体の前側面板の重なり面に面ファスナを設けたので、簡単に開閉することができる。
【００１８】
請求項４の考案によれば、蓋体の主面板と前垂板との間に介在された第２ヒンジ部をメッシュ生地で構成したので、第２ヒンジ部の柔軟性をより高めることができると共に、その部分により、画材バッグ内部の通気性を確保することができる。
【００１９】
請求項５の考案によれば、本体の底面板と左右側面板とをそれぞれ幅方向に二つ折り可能に構成したので、薄く折り畳むことができ、商品の流通の際に多数個を省スペースで保管することができる。
【００２０】
請求項６の考案によれば、本体と蓋体を、柔軟性と防水性を有する布材を縫製することで構成し、少なくとも本体の前後側面板と蓋体の主面板とを構成する布材に芯材を内装したので、必要な部位の型崩れを防止することができ、収納物の出し入れ性の向上を図ることができる。
【００２１】
請求項７の考案によれば、一対の手提げ紐を手で掴むことにより、画材バッグを携行することができる。
【考案を実施するための最良の形態】
【００２２】
以下、本考案の実施形態の画材バッグを図面に基づいて説明する。
【００２３】
図１は実施形態の画材バッグとその中に収納する画材用具を示す斜視図、図２は画材用具を画材バッグに収納した状態を上から見た斜視図、図３は画材バッグの蓋体を開いた状態を側方から見た側面図、図４は画材用具を収納した画材バッグの蓋体を閉じようとしている途中の状態を示す前側から見た斜視図、図５は画材用具を収納し蓋体を閉じた状態の画材バッグの外観を示す斜視図、図６は画材バッグを折り畳んだ状態を示す斜視図である。
【００２４】
この画材バッグ１は、小学校の図画工作の授業等で使用する画材用具３を携行するのに用いられるものであり、収納する画材用具３としては、他の用具を入れるためのケースとなる２つの収容凹部３１ａ，３１ｂを有し中仕切壁３１ｃに突没自在の取っ手３２を設けた箱形の筆洗バケツ３１と、パレット３５、絵の具セット３６、絵筆セット及び筆拭き布３８などが用意されている。なお、本実施形態の筆洗バケツ３１の取っ手３２は突没自在に配置されているが、突没せずに筆洗バケツ３１に固定配置された取っ手であっても良い。
【００２５】
画材バッグ１は、上面が収納物である画材用具３の出し入れ口として開口し、底面と前後の側面と左右の側面とが、それぞれ底面板１１と前後側面板１２，１３と左右側面板１４、１４とで覆われ、内部に直方体形状の収納空間が確保された本体１０と、この本体１０の上面の出し入れ口を開閉するために、後側面板１３の上端縁に第１ヒンジ部１８を介して後端縁が連結され、その第１ヒンジ部１８を支点にして上下方向に回動自在とされ、且つ出し入れ口に相当する大きさを有して出し入れ口を上から覆うことの可能な主面板２１を有した蓋体２０と、を備えている。
【００２６】
蓋体２０の主面板２１の前端には、主面板２１の前端縁に第２ヒンジ部２２を介して上下方向に回動自在に連結され、蓋体２０を閉じたときに本体１０の前側面板１２の外面に重なる前垂板２３が設けられている。
【００２７】
この場合、第１ヒンジ部１８は、本体１０の後側面板１３から蓋体２０の主面板２１に連続する柔軟な布材によって構成され、第２ヒンジ部２２は、メッシュ状の布材（メッシュ生地）によって構成されている。
【００２８】
また、出し入れ口を閉じた状態で蓋体２０を固定する固定手段として、蓋体２０の前垂板２３の内面と、蓋体２０が閉じたとき前垂板２３の内面が重なる本体１０の前側面板１２の外面とに、重なったときに互いに係合する面ファスナ２６，１６が設けられている。
【００２９】
また、本体１０の左右側面板１４の上方にはそれぞれ、出し入れ口の左右側部を覆う幅を有し、下端縁１５ａが本体１０の左右側面板１４の上端縁に連結され且つ後端縁１５ｂが蓋体２０の主面板２１の左右側縁に連結され、蓋体２０を開く動作に伴い蓋体２０に引っ張られて左右側面板１４の上方に立ち上がり、蓋体２０を閉じる動作に伴い左右側面板１４の上端縁の位置で内側に折れ曲がって主面板２１の下面に重なる内側カバー片１５が設けられている。内側カバー片１５は折り畳み可能で、縁取りテープ２９により縁が縫合されることにより、内側に倒れ癖が付いている。
【００３０】
この場合、図３に示すように、蓋体２０を開く動作に伴い、内側カバー片１５が、本体１０の左右側面板１４の上方に立ち上がって最大に広がったときの蓋体２０の主面板２１の位置が、本体１０の後側面板１３の上方への延長線よりも後側に角度θだけ倒れているように、内側カバー片１５の後端縁１５ｂの位置が上に行くほど後側に延長されて蓋体２０の主面板２１の左右側縁に連結されている。
【００３１】
また、本体１０と蓋体２０は、柔軟性と防水性を有する布材を縫製することで全体が構成されており、本体１０の前後側面板１２，１３と蓋体２０の主面板２１とを構成する表面布材と裏面布材の間には芯材（図示略）が内装されている。また、本体１０の底面板１１と左右側面板１４に芯材は内装されていず、これら底面板１１と左右側面板１４は、幅方向に二つ折り可能となっている。
【００３２】
また、本体１０の前後側面板１２，１３の外面には、両端が縫製されることで、一対の逆Ｕ字状の手提げ紐１７が設けられている。また、左右側面板１４には、必要に応じて肩掛け紐が繋着できる環状の繋着金具１９が取り付けられている。
【００３３】
次に作用を説明する。この画材バッグ１の蓋体２０を図５の状態から開く場合は、前垂板２３の先端を摘んで、互いに面係合している面ファスナ１６，２６を剥がしながら、蓋体２０の後端の第１ヒンジ部１８を支点にして、蓋体２０の前端側を上方から後方へ持ち上げる。そうすることにより、図１、図２に示すように、簡単に本体１０の上面の出し入れ口を全開することができ、この状態で画材用具３の出し入れを行うことができる。
【００３４】
また、蓋体２０を閉じる場合は、第１ヒンジ部１８を支点にして、蓋体２０の前端側を出し入れ口に被せるように倒すことにより、簡単に本体１０の出し入れ口を閉じることができ、前垂板２３を本体１０の前側面板１２の外面に重ねて面ファスナ１６，２６を係合させることができる。
【００３５】
この場合、内側カバー片１５は、図４に示すように、蓋体２０の開け閉めに伴って、自動的に立ち上がったり内側に折れ曲がったりする。また、図３に示すように、蓋体２０をいっぱいに開いたときには、蓋体２０が自重により後側に倒れようとするが、その倒れようとする力と内側カバー片１５に生じる張力とが釣り合うことになり、内側カバー片１５が突っ張った状態に保持されると同時に、蓋体２０が一定の開き位置に保持されることになる。
【００３６】
このため、内側カバー片１５をわざわざ蓋体２０と別に開いたり閉じたりする必要がなく、内側カバー片１５が収納物の出し入れの邪魔になることもない。また、内側カバー片１５が、蓋体２０を開いた際のストッパの役割を果たすので、蓋体２０を一定の開き位置に保持しておくことができ、蓋体２０が収納物の出し入れの邪魔になることもないし、蓋体２０を閉じるときにもやりやすくなる。
【００３７】
よって、低学年の児童であっても、簡単に画材バッグ１の開け閉めができるし、特に蓋体２０を持ち上げるだけで出し入れ口を全開することができるので、画材用具３の出し入れを楽に行うことができる。
【００３８】
また、本体１０を底面板１１と前後左右側面板１２，１３，１４とで構成し、蓋体２０を主面板２１と前垂板２３とで構成することで、画材バッグ１の外形を直方体形状にしているので、多数個を積み重ねてコンパクトにロッカーや棚に収納しておくことができる。
【００３９】
また、蓋体２０を閉じているときには、蓋体２０の後端は第１ヒンジ部１８で塞がれ、蓋体２０の前端は前垂板２３で塞がれ、蓋体２０の左右端は、本体１０の左右側面板１４の上方に連設した内側カバー片１５で塞がれるので、蓋体２０と本体１０の隙間を全周にわたり封じることができ、中に収容した小物が外に飛び出す心配がない。特に左右に付いている内側カバー片１５が、蓋体２０を閉じたときに内側に折れ曲がって、中の収容物を保護するので、携行しながら多少乱暴に画材バッグを振っても、中の収納物（例えば、絵筆などの小物）が外に飛び出すのを防止することができる。
【００４０】
また、構造が簡単であるので、コストも抑制することができるし、蓋体２０の固定手段として、面ファスナ１６，２６を設けているので、簡単に開閉することができる。なお、面ファスナ以外の固定手段として、ボタンやフック等を設けてもよい。
【００４１】
また、本実施形態の画材バッグ１では、蓋体２０の主面板２１と前垂板２３との間に介在された第２ヒンジ部２２をメッシュ生地で構成しているので、第２ヒンジ部２２の柔軟性をより高めることができるし、その部分により、画材バッグ１内部の通気性を確保することができる。従って、使用後の筆洗バケツやパレット、筆拭き布等は、ある程度、水に濡れた状態になっていることが多いが、メッシュ生地による通気性の確保により、筆洗バケツ等を早期に乾燥させることができる。
【００４２】
また、本実施形態の画材バッグ１では、本体１０と蓋体２０を、柔軟性と防水性を有する布材を縫製することで構成し、少なくとも本体１０の前後側面板１２，１３と蓋体２０の主面板２１とを構成する布材に芯材を内装したので、必要な部位の型崩れを防止することができ、収納物の出し入れ性の向上を図ることができる。また、一対の手提げ紐１７を、芯材を内装した前後側面板１２，１３の外面に縫合しているので、手に提げた状態での安定した画材バッグ１の携行が可能になる。
【００４３】
また、本体１０の底面板１１と左右側面板１４とをそれぞれ幅方向に二つ折り可能に構成しているので、図６に示すように、薄く折り畳むことができ、商品の流通の際に多数個を省スペースで保管したり運搬したりすることができる。
【００４４】
なお、上記実施形態においては、小学校で使用する画材用具収納用の画材バッグとして説明したが、本考案は、これに限定されるものではなく、あらゆる用途のバッグにも適用可能である。
【図面の簡単な説明】
【００４５】
【図１】本考案の実施形態の画材バッグとその中に収納する画材用具を示す斜視図である。
【図２】前記画材用具を画材バッグに収納した状態を上から見た斜視図である。
【図３】前記画材バッグの蓋体を開いた状態を側方から見た側面図である。
【図４】前記画材用具を収納した画材バッグの蓋体を閉じようとしている状態を示す前側から見た斜視図である。
【図５】前記画材用具を収納し蓋体を閉じた状態の画材バッグの外観を示す斜視図である。
【図６】前記画材バッグを折り畳んだ状態を示す斜視図である。
【図７】従来の画材バッグの構成を示す斜視図である。
【符号の説明】
【００４６】
１  画材バッグ
３  画材用具（収納物）
１０  本体
１１  底面板
１２  前面板
１３  後面板
１４  左右側面板
１５  内側カバー片
１５ａ  下端縁
１５ｂ  後端縁
１６  面ファスナ（固定手段）
１７  手提げ紐
１８  第１ヒンジ部
２０  蓋体
２１  主面板
２２  第２ヒンジ部（メッシュ生地）
２３  前垂板
２６  面ファスナ（固定手段）
【図１】
0003140471.tif 000003
【図２】
0003140471.tif 000004
【図３】
0003140471.tif 000005
【図４】
0003140471.tif 000006
【図５】
0003140471.tif 000007
【図６】
0003140471.tif 000008
【図７】
0003140471.tif 000009